(57)【要約】  スライド及びシェル容器（１０）は、外側シェル（１４）と外側シェル内に設けられた内側スライド（１２）とを含む。外側シェル（１４）と内側スライド（１２）は、１つ又はそれよりも多くの脆弱線（５４）に沿って互いに取外し可能に接続される。外側シェル（１４）と内側スライド（１２）が、１つ又はそれよりも多くの脆弱線（５４）に沿って分離される時に、内側スライド（１２）は、外側シェル（１４）内で閉鎖スライド位置と開放スライド位置の間で移動可能になる。好ましくは、２つ又はそれよりも多くの脆弱線（５４）は、外側シェル（１４）と内側スライドを分離するために容器から分離可能な一体化開封ストリップ（５６）を形成する。【選択図】      図１
2013523536.tif 000002
【特許請求の範囲】
【請求項１】
シェル前面壁と、シェル背面壁と、シェル底面壁と、第１のシェル側壁と、第２のシェル側壁とを含む外側シェルと、
前記外側シェル内に装着され、かつスライド前面壁と、スライド背面壁と、第１のスライド側壁と、第２のスライド側壁とを含む内側スライドと、
を含み、
前記外側シェル及び前記内側スライドは、１つ又はそれよりも多くの脆弱線に沿って互いに取外し可能に接続され、
前記１つ又はそれよりも多くの脆弱線に沿って前記外側シェルと内側スライドが分離される時に、該内側スライドは、閉鎖スライド位置と開放スライド位置の間で該外側シェル内で移動可能になる、
ことを特徴とするスライド及びシェル容器。
【請求項２】
前記外側シェル及び内側スライドは、該外側シェルと該内側スライドを分離するために容器から分離可能である一体化開封ストリップを形成する２つ又はそれよりも多くの脆弱線に沿って互いに取外し可能に接続されることを特徴とする請求項１に記載のスライド及びシェル容器。
【請求項３】
前記内側スライドは、箱と、ヒンジ線に関して該箱に接続されたヒンジ蓋とを含み、
前記閉鎖スライド位置では、前記ヒンジ蓋は、前記外側シェルによって閉鎖位置に保持され、前記開放スライド位置では、該ヒンジ蓋は、開放位置まで移動可能である、
ことを特徴とする請求項１又は請求項２に記載のスライド及びシェル容器。
【請求項４】
前記１つ又はそれよりも多くの脆弱線に沿った前記外側シェルと前記内側スライドの分離の前に、該内側スライドは、前記閉鎖スライド位置に保持されることを特徴とする請求項１から請求項３のいずれか１項に記載のスライド及びシェル容器。
【請求項５】
前記内側スライドは、底部スライド壁を更に含むことを特徴とする請求項１から請求項４のいずれか１項に記載のスライド及びシェル容器。
【請求項６】
前記外側シェルからの前記内側スライドの取り外しを防止するための保持手段を更に含むことを特徴とする請求項１から請求項５のいずれか１項に記載のスライド及びシェル容器。
【請求項７】
前記保持手段は、前記内側スライドの前記開放スライド位置を超える移動を防止するために外側スリーブと係合することが可能である該内側スライドに設けられた少なくとも１つの保持タブを含むことを特徴とする請求項６に記載のスライド及びシェル容器。
【請求項８】
前記１つ又はそれよりも多くの脆弱線は、前記スライド前面壁とシェル側壁の間に位置付けられることを特徴とする請求項１から請求項７のいずれか１項に記載のスライド及びシェル容器。
【請求項９】
前記スライドの少なくとも１つの壁が、画像区域を含み、
上に重なる前記シェル壁は、前記シェルと前記スライドの間の相対的な移動が、前記スライド壁上の前記画像区域を対応する該シェル壁の少なくとも１つの開口部に少なくとも部分的に整列させるような少なくとも１つの開口部を含む、
ことを特徴とする請求項１から請求項８のいずれか１項に記載のスライド及びシェル容器。
【請求項１０】
前記外側シェル及び内側スライドは、前記１つ又はそれよりも多くの脆弱線を含む１つの積層ブランクで一緒に形成されることを特徴とする請求項１から請求項９のいずれか１項に記載のスライド及びシェル容器。
【請求項１１】
開封タブが、前記１つ又はそれよりも多くの脆弱線に沿って設けられることを特徴とする請求項１から請求項１０のいずれか１項に記載のスライド及びシェル容器。
【請求項１２】
前記内側スライドは、複数の喫煙物品を収容することを特徴とする請求項１から請求項１１のいずれか１項に記載のスライド及びシェル容器。
【請求項１３】
請求項１から請求項１２のいずれか１項に記載のスライド及びシェル容器を形成するための積層ブランクであって、
内側スライドを形成するためのスライド形成部分と、
外側シェルを形成するためのシェル形成部分と、
を含み、
前記スライド形成部分及び前記シェル形成部分は、１つ又はそれよりも多くの脆弱線に沿って互いに接続され、
前記内側スライド形成部分は、スライド前面壁パネル、スライド背面壁パネル、第１のスライド壁パネル、及び第２のスライド壁パネルを含み、
前記外側シェル形成部分は、シェル前面壁パネル、シェル背面壁パネル、シェル底面壁パネル、第１のシェル側壁パネル、及び第２のシェル側壁パネルを含む、
ことを特徴とする積層ブランク。
【請求項１４】
シェル内側底面壁パネル及びシェル外側底面壁パネルを含み、
スライド内側底面壁パネル及びスライド外側底面壁パネルを更に含み、
前記シェル内側底面壁パネルは、切り欠き部分を含み、
前記スライド外側底面壁パネルは、容器を形成するために積層ブランクが組み立てられる時に、該スライド外側底面壁パネルが前記シェル内側底面壁パネルの前記切り欠き部分を通過するような形状にされる、
ことを特徴とする請求項１３に記載の積層ブランク。
【請求項１５】
請求項１３に記載の積層ブランクからスライド及びシェル容器を形成する方法であって、
内側スライド形成部分及び外側シェル形成部分をそこに設けられた縦方向折り畳み線に沿って折り畳むことにより、容器を部分的に組み立てる段階と、
前記内側スライド形成部分の中にその開放端部を通して消費財を挿入する段階と、
前記スライド内側底面壁パネル及び前記シェル内側底面壁パネルを内向きに折り畳む段階と、
前記スライド内側底面壁パネル及び前記シェル内側底面壁パネルに接着剤を適用する段階と、
前記スライド外側底面壁パネル及び前記シェル外側底面壁パネルを該スライド外側底面壁パネルが前記シェル内側底面壁パネルの前記切り欠き部分を通過して前記スライド内側底面壁パネルに接着し、かつ該シェル外側底面壁パネルが該シェル内側底面壁パネルに接着するように内向きに折り畳む段階と、
を含むことを特徴とする方法。
【発明の詳細な説明】
【技術分野】
【０００１】
本発明は、消費財のための新しいスライド及びシェル容器に関する。容器は、シガレットのような細長い喫煙物品のための容器としての特定用途を見出すものである。
【背景技術】
【０００２】
外側シェル又はスリーブと、消費財が収容されて外側シェル内で摺動可能な内側スライド又はトレーとを含む容器に消費財を包装することは公知である。そのような容器から消費財を取り出すために、消費者は、内側スライドの開放端部又は側部を部分的に露出させるために、外側シェル内の最初の位置から内側スライドが外側シェルから外向きに突出する開蓋位置まで内側スライドを摺動させる。
【０００３】
不正開封防止シール又は閉鎖物を備えたスライド及びシェル容器を提供することは公知である。例えば、ＵＳ−Ａ−４，５２４，９０１は、開封ストリップの手段によって互いに取り付けられた外側部分と内側部分を有するツーピースの箱を開示している。容器の内側部分内の消費財にアクセスするためには、開封ストリップを取り外すことによって外側部分と内側部分を互いから分離する必要がある。ブランクの構成及びブランクからこのツーピースの箱を製造するのに使用される機械のために、外側部分は、上部又は底部のない単なるスリーブである。従って、この組み立てられたツーピースの箱の外側部分の構造的強度は、特にツーピースの箱の開放位置では限られる。
【先行技術文献】
【特許文献】
【０００４】
【特許文献１】ＵＳ−Ａ−４，５２４，９０１
【特許文献２】ＷＯ−Ａ−２００９／０２７８３３
【発明の概要】
【発明が解決しようとする課題】
【０００５】
外側シェル内から内側スライドを取り外すことができる前に破れるべきである不正開封防止シールを有する改善されたスライド及びシェル容器を提供することが望ましいと考えられる。従来の方法及び装置を使用してそのようなスライド及びシェル容器が組み立てることができ、かつ公知の容器を超える改善された構造的強度を示すことができれば特に望ましいであろう。
【課題を解決するための手段】
【０００６】
本発明により、外側シェルと外側シェル内に装着された消費財を収容するための内側スライドとを含む消費財のためのスライド及びシェル容器を提供する。外側シェルは、シェル前面壁と、シェル背面壁と、シェル底面壁と、第１のシェル側壁と、第２のシェル側壁とを含む。内側スライドは、スライド前面壁と、スライド背面壁と、第１のスライド側壁と、第２のスライド側壁とを含む。本発明により、外側シェルと内側スライドは、１つ又はそれよりも多くの脆弱線に沿って互いに対して取外し可能に接続される。外側シェルと内側スライドが、１つ又はそれよりも多くの脆弱線に沿って分離される時に、内側スライドは、外側シェル内で閉鎖スライド位置と開放スライド位置の間で移動可能になる。
【０００７】
本発明による容器の構成要素の位置を説明するのに使用される用語「前面」、「背面」、「上側」、「下側」、「側部」、「上部」、「底部」、「左」、「右」、及び他の用語は、そこを通して上端で消費財が取り出される開口部を備えた直立位置にある容器を基準にする。
【０００８】
用語「縦方向」は、底部から上部の又はその反対の方向を意味する。用語「横方向」は、縦方向と垂直な方向を意味する。
【０００９】
用語「上向き」及び「下向き」は、本発明による容器が直立位置にある時に容器の内側スライド及び外側シェルの相対的な動きを説明するのに使用される。
【００１０】
用語「脆弱線」は、その線に沿って材料の一部を取り外すために材料がそれに沿って弱くされた紙又はカードのような材料のシート内の線を説明する。それによって望ましい線に沿ってシート材料を引き裂くか又は破壊することが簡単になる。本発明による容器の１つ又はそれよりも多くの脆弱線は、例えば、切り込み線又は穿孔線とすることができる。
【００１１】
本発明の代替的な実施形態では、脆弱線は、製造工程中に破かれる。これは、内側スライド及び外側シェルは、１つの積層ブランクから形成することができるが、消費者は、内側スライド内の消費財にアクセスするために脆弱線を破壊する必要がないことを意味する。
【００１２】
しかし、より好ましくは、脆弱線は、充填された容器の販売時点では無傷のままであり、消費財にアクセするために消費者によって破かれるべきである。
【００１３】
使用前に、内側スライド及び外側シェルは、従って、脆弱線の１つ又はそれよりも多くに沿って互いに対して取り付けられる。脆弱線が破かれるまで、２つの部分間のこの取り付けは、内側スライドが外側シェル内で動くのを実質的に防止する。好ましくは、容器には、完全に外側シェル内にその閉鎖位置の内側スライドが最初に備えられる。従って、１つ又は複数の脆弱線に沿って外側シェルから内側スライドを取り外さないで内側スライド内の消費財にアクセスすることは可能ではない。
【００１４】
脆弱線は、従って、本発明による容器に容器が以前に開かれたか又はいずれかの方法で改ざんされたか否かが消費者に分かることを可能にする不正開封防止シールを提供する。破かれていないシールの存在は、内側スライドがまだ開かれておらず、消費財がアクセスされていないことを示す。それはまた、包装がまだ開かれていないので、容器内の部材がまだ新しいことを消費者に示すことができる。
【００１５】
脆弱線の１つ又はそれよりも多くを破壊することにより内側スライドと外側シェルが分離される時に、内側スライドは、外側シェルに対して自由に動くようになる。従って、消費財にアクセスするための内側スライドのその開放位置までの移動が可能である。
【００１６】
脆弱線の１つ又はそれよりも多くは、容器のいずれかの適切な位置に提供することができ、かつ容器の壁の１つ又はそれよりも多くの全て又は一部にわたって延びることができる。好ましくは、脆弱線の１つ又はそれよりも多くは、外側シェルの垂直縁部に対して実質的に平行な縦方向に提供される。ある一定の好ましい実施形態では、脆弱線の１つ又はそれよりも多くは、容器の側壁の１つに縦方向に提供される。
【００１７】
外側シェルと内側スライドは、１つの脆弱線に沿って取外し可能に接続することができる。そのような実施形態では、脆弱線は、容器のいずれの部分も取り外すことなく破かれる。
【００１８】
しかし、本発明の好ましい実施形態では、外側シェル及び内側スライドは、外側シェルと内側スライドを分離するために容器から分離可能な一体化開封ストリップを形成する２つ又はそれよりも多くの脆弱線に沿って互いに対して取外し可能に接続される。開封ストリップは、内側スライドが外側シェルに対して動くことができる前に容器から完全に取り外すべきである。好ましくは、容器は、開封ストリップの各側に１つの２つの脆弱線を含む。
【００１９】
好ましくは、切り欠き又はタブのような適切な手段が、１つ又はそれよりも多くの脆弱線に設けられ、その破壊を容易にする。例えば、一体化開封ストリップが設けられる場合、消費者がストリップをより簡単に把持するための開封タブをストリップの一方又は両方の端部に提供することができる。１つ又は複数の開封タブは、それらを容器の表面から離して容易に持ち上げることができるように、容器の残りの部分ではなく一体化開封ストリップに接続される。代替的に、１つの脆弱線が設けられる場合、脆弱線に沿った中間に切り欠き又は僅かに突出するタブを設けることができる。それは、脆弱線を破壊するために消費者が十分な力を加えることができるアクセスポイントを提供する。
【００２０】
１つ又はそれよりも多くの脆弱線は、好ましくは、脆弱線に沿った内側スライドと外側シェルの分離に続いて内側スライドと外側シェルが全く無傷のままに残り、それぞれが構造的一体性を保持するように提供される。例えば、好ましくは、内側スライド又は外側シェルの一体化壁パネルのどれも、脆弱線が破かれる時に互いから分割又は分離されることがない。
【００２１】
好ましくは、１つ又はそれよりも多くの脆弱線は、スライド前面壁とシェル側壁の間に位置付けられる。好ましくは、一体化開封ストリップは、実質的にシェル側壁の平面に位置付けられる。好ましくは、一体化開封ストリップは、容器の上部に向けて位置付けられる。好ましくは、開封ストリップを組み込むシェル側壁は、スライド前面壁縁部と当接関係にある開封ストリップの下の下側区画を含む。好ましくは、シェル側壁の下側区画とスライド前面壁の間にいくつかの保持ポイントが提供され、これは、内側スライドが外側シェルに対して動く時に簡単に破壊することができる。これらの対策は、内側スライドと外側シェルの間の接続を安定させることによって製造中に容器の取り扱いを改善する。
【００２２】
１つ又はそれよりも多くの脆弱線が内側シェルと外側スライドの間に設けられるので、脆弱線は、典型的に外側シェルの内側に位置決めされることになる。１つ又はそれよりも多くの脆弱線が容器の外側からアクセス可能であるために、従って、外側シェルには、好ましくは、そこを通して脆弱線にアクセスすることができる切り欠き又は窓が備えられる。好ましくは、外側シェル内の切り欠きは、切り欠きの残りの部分よりも大きく、かつ下にある脆弱線によって覆われる区域よりも大きい寸法の拡大部分を有する。それによって内側スライドと外側シェルを分離するための脆弱線へのアクセスが可能になる。これは、容器が一体化開封ストリップを含む場合に特に有利である。この場合、好ましくは、切り欠きの拡大部分は、一体化開封ストリップの端部の上に重なるように位置決めされ、端部の把持が容易になる。
【００２３】
本発明による容器の内側スライドは、１つ又はそれよりも多くの開口部を含み、それを通してそこに収容された消費財にアクセスすることができる。好ましくは、内側スライドは、箱とヒンジ線に沿って箱に接続されたヒンジ蓋とを含む。内側スライドの閉鎖位置では、ヒンジ線が外側シェルの背面壁によって覆われるので、ヒンジ蓋が閉鎖位置に保持される。開放位置では、ヒンジ蓋は、ヒンジ蓋を開放位置まで移動して内側シェル内の消費財にアクセスするためにヒンジ線に関してピボット回転することができる。
【００２４】
好ましくは、内側スライドは、内側スライドの底面の少なくとも一部を覆う底面壁を含む。これは、消費物品が内側スライドの底部を通って落下することを防止するのを助けることができる。それはまた、内側スライドが開放スライド位置まで動く時に消費財が内側スライドと共に外側シェルから出て持ち上げられることを保証する。更に、底面壁を含めることにより、内側スライドの構造的安定性及び剛性が改善する。
【００２５】
必要に応じて、容器には、内側スライドが開放位置まで動く時にヒンジ蓋を自動的に開く手段を設けることができる。適切な手段は、例えば、ＷＯ−Ａ−２００９／０２７８３３に説明されている。
【００２６】
外側シェルの上部側面は、内側スライドへのアクセスと外側シェルから出てその開放位置内への内側スライドの移動とを可能にするために、好ましくは開いている。しかし、必要に応じて外側シェルの上部壁に開放可能な蓋又はフラップを設けることができる。
【００２７】
好ましくは、外側シェルの上縁には、１つ又はそれよりも多くの切り欠きが設けられ、そこを通って内側スライドは、閉鎖位置と開放位置の間でそれを移動するために把持することができる。切り欠きは、あらゆる望ましい形状とすることができ、かつ内側スライド内に収容された消費財の銘柄を示すのに有利に使用することができる。
【００２８】
代替的に又は追加的に、シェル底面壁は、切り欠きを含むことができ、そこを通って内側スライドにそれを外側シェル内で上方に押すために接触することができる。
【００２９】
好ましくは、本発明による容器は、更に、内側スライドが外側シェルから取り外されることを防止するために、かつ外側シェルに対する内側スライドの動きを制限するために保持手段を含む。特に好ましくは、保持手段は、内側スライドがその開放位置を超えて外側シェルから押し出されないことを保証する。
【００３０】
１つの好ましい実施形態では、保持手段は、内側スライドの開放位置を超える動きを防止するために外側スリーブと係合することが可能である内側スライドに設けられた少なくとも１つの保持タブ又はフラップを含む。少なくとも１つの保持タブは、外側スリーブの内側に設けられた対応するタブ又はフラップに係合し、タブの係合は、内側スライドの特定方向への更に別の動きを防止することができる。代替的に、外側スリーブは、その内面に１つ又はそれよりも多くの切り欠きを含むことができ、少なくとも１つの保持タブは、１つ又はそれよりも多くの切り欠き内での動きに対して拘束される。好ましくは、１つ又はそれよりも多くの切り欠きを含む外側スリーブの壁は、内壁パネル及び外壁パネルで形成され、１つ又はそれよりも多くの切り欠きは、それらが容器の外側から見えないように内壁パネルだけに設けられる。
【００３１】
好ましくは、内側スライド及び外側シェル上の保持タブは、２つの連結タブの形態であり、１つがシェル背面壁に設けられ、別の１つがスライド背面壁に設けられる。好ましくは、シェル背面壁のタブは、ヒンジ線に関して壁の残りの部分に向けて約１８０度折り戻される。
【００３２】
１つの好ましい例では、第１の保持タブが、シェル背面壁の上縁から延び、かつそれが内側スライドと外側シェルの間でシェル背面壁の内面に対抗して位置するように１８０度だけ下向きに折り畳まれる。少なくとも１つの保持タブは、スライド背面壁に設けられ、内側スライドが外側シェルから出てある一定の距離を動いた時に更なる動きを防止するために、少なくとも１つの内側保持タブの上縁が、シェル背面壁の上縁で第１の保持タブの自由縁部に当接するように位置決めされる。代替的に、少なくとも１つの内側保持タブは、少なくとも１つの内側保持フラップの上縁がシェル背面壁と第１のフラップの間の折り目に当接する時に、内側スライドのあらゆる上方の動きが停止するように第１の保持タブの下で摺動することができる。
【００３３】
シェル背面壁の上縁が真っ直ぐでないか又はスライド背面壁よりも短い実施形態では、第１の保持タブは、シェル側壁の上縁に設けることが好ましい場合がある。そのような実施形態では、対応する少なくとも１つの内側保持タブは、好ましくは、対応するスライド側壁に設けられる。好ましくは、シェル側壁の上縁から延びる第１の保持タブは、タブの残りの部分に向けて１８０度だけ折り戻された自由端に付加的なタブ部分を含む。これは、材料の２重層を備えたタブを作り出し、それは、第１の保持タブが容易に少なくとも１つの内側保持タブと係合するという利点を有する。
【００３４】
好ましくは、少なくとも１つの保持タブは、好ましくは僅かに湾曲した折り目を通じて対応するスライド側壁に接続される。折り目の湾曲は、正の曲げ力を有利に作り出し、それは、保持タブを外側シェルに向けて強く押す。これは、内側保持タブと第１の保持タブが確実に係合することを保証する。
【００３５】
好ましくは、内側スライドの少なくとも１つの壁は、画像区域を有し、対応する外側シェル壁は、外側シェルと内側スライドの相対的な移動が内側スライド上の画像区域を対応する外側シェル壁の少なくとも１つの開口部に少なくとも部分的に整列させるような少なくとも１つの開口部を含む。好ましくは、シェル前面壁は、一連の開口部を含み、対応するスライド前面壁は、外側シェルと内側スライドの相対移動中に一連の画像が１つ又はそれよりも多くの開口部を通して少なくとも部分的に可視になるような一連の画像を含む。
【００３６】
本発明による容器は、以下に限定されるものではないが、厚紙、板紙、プラスチック、金属、又はそれらを組み合わせたものを含むあらゆる適切な材料から形成することができる。好ましくは、外側シェル及び内側スライドの各々は、１つ又はそれよりも多くの折り畳まれた積層厚紙ブランクから形成することができ、厚紙は、好ましくは、平方メートル当たり約１００グラムと平方メートル当たり約３５０グラムの間の重量を有する。
【００３７】
本発明による容器は、直角縦方向及び直角横方向縁部を備えた直方体形状とすることができる。代替的に、容器は、１つ又はそれよりも多くの丸形縦方向縁部、丸形横方向縁部、斜角付き縦方向縁部、又は斜角付き横方向縁部、又はそれらを組み合わせたものを含むことができる。例えば、本発明による容器は、以下に限定されるものではないが、以下のものを含むことができる。
−前面壁上に１つ又は２つの縦方向丸形又は斜角付き縁部、及び／又は背面壁上に１つ又は２つの縦方向丸形又は斜角付き縁部、
−前面壁上に１つ又は２つの横方向丸形又は斜角付き縁部、及び／又は背面壁上に１つ又は２つの横方向丸形又は斜角付き縁部、
−前面壁上に１つの縦方向丸形縁部及び１つの縦方向斜角付き縁部、及び／又は背面壁上に１つの横方向丸形縁部及び１つの横方向斜角付き縁部、
−前面壁上に１つ又は２つの横方向丸形又は斜角付き縁部、及び前面壁上に１つ又は２つの縦方向丸形又は斜角付き縁部、
−第１の側壁上に２つの縦方向丸形又は斜角付き縁部又は第２の側壁上に２つの横方向丸形又は斜角付き縁部。
【００３８】
容器が１つ又はそれよりも多くの丸形縁部を含み、かつ１つ又はそれよりも多くの積層ブランクから形成される場合、好ましくは、ブランクは、３つ、４つ、５つ、６つ、又は７つの切り込み線又は折り目を含み、各々が、組み立てられた容器内に丸形縁部を形成する。切り込み線又は折り目は、容器の内側又は容器の外側のいずれかとすることができる。好ましくは、切り込み線又は折り目は、約０．３ｍｍと４ｍｍの間だけ互いから離間させることができる。
【００３９】
好ましくは、折り目又は切り込み線の間隔は、積層ブランクの厚みの関数である。好ましくは、折り目又は切り込み線の間の間隔は、積層ブランクの厚みよりも約０．５と約４倍の間ほど大きい。
【００４０】
容器が１つ又はそれよりも多くの斜角付き縁部を有する場合、好ましくは、斜角付き縁部は、約１ｍｍと約１０ｍｍの間、好ましくは、約２と約６ｍｍの間の幅を有する。代替的に、容器は、２つの異なる斜角が容器の縁部に形成されるように離間した３つの平行な折り畳み又は切り込み線によって形成された２重斜角を含むことができる。
【００４１】
容器が斜角付き縁部を含み、かつ１つ又はそれよりも多くの積層ブランクから作られる場合、斜角は、積層ブランク内の２つの平行な折り目又は切り込み線によって形成することができる。折り目又は切り込み線は、第１の壁と第２の壁の間の縁部に対して対称に配置することができる。代替的に、折り目又は切り込み線は、斜角が容器の第２の壁内よりも容器の第１の壁内により遠く到達するように、第１の壁と第２の壁の間の縁部に対して非対称に配置することができる。
【００４２】
代替的に、容器は、非矩形横方向断面、例えば、三角形又は六角形のような多角形、半長円形、又は半円形を有することができる。
【００４３】
本発明による容器は、例えば、シガレット、シガー、又はシガリロのような細長い喫煙物品のためのパックとしての特定用途を見出すものである。その寸法の適切な選択により、本発明による容器を異なる数の従来サイズ、キングサイズ、スーパーキングサイズ、スリム、又はスーパースリムシガレットのためのものとして設計することができることは認められるであろう。代替的に、他の消費財も容器の内側に収容することができる。
【００４４】
その寸法の適切な選択により、本発明による容器は、異なる総数の喫煙物品、又は異なる構成の喫煙物品を保持するように設計することができる。例えば、その寸法の適切な選択により、本発明による容器は、総数が１０と３０の間の喫煙物品を保持するように設計することができる。
【００４５】
容器内の喫煙物品は、喫煙物品の総数次第で異なる丁合に配置することができる。例えば、喫煙物品は、６、７、８，９、又は１０の１列に配置することができる。代替的に、喫煙物品は、２列又はそれよりも多くの列に配置することができる。２列又はそれよりも多くの列は、同じ数の喫煙物品を収容することができる。例えば、喫煙物品は、５、６、７、８、９、又は１０の２列、又は５又は７の３列、又は４、５、又は６の４列に配置することができる。代替的に、２列又はそれよりも多くの列は、互いに対して異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列（７−５−７）、６の中央列と５の外側２列（５−６−５）、６の中央列と７の外側２列（７−６−７）、７の中央列と６の外側２列（６−７−６）、９の中央列と８の外側２列（８−９−８）、又は６の中央列、５の外側１列、及び７の外側１列（５−６−７）に配置することができる。
【００４６】
本発明による容器は、同じ種類又は銘柄、又は異なる種類又は銘柄の喫煙物品を保持することができる。更に、フィルタなし喫煙物品及び広範なフィルタチップ付き喫煙物品の両方、並びに異なる長さの喫煙物品（例えば、約４０ｍｍと約１８０ｍｍの間）、異なる直径の喫煙物品（例えば、約４ｍｍと約９ｍｍの間）を収容することができる。更に、喫煙物品は、風味の強度、吸引抵抗、及び総粒子状物質送出量を異なるものにすることができる。好ましくは、容器の寸法は、喫煙物品の長さと喫煙物品の丁合に適合される。一般的に、容器の外形寸法は、容器の内側に収容される喫煙物品の１つ又は複数の束の寸法よりも約０．５ｍｍから約５ｍｍの間ほど大きい。
【００４７】
本発明による容器の長さ、幅、及び深さは、閉鎖位置での容器の得られる全体寸法が、２０シガレットのための通常の使い捨てヒンジ蓋パックの寸法とほぼ同様であるようなものとすることができる。
【００４８】
好ましくは、本発明による容器は、約６０ｍｍと約１５０ｍｍの間の高さ、より好ましくは、約７０ｍｍと約１２５ｍｍの間の高さを有し、高さは、容器の上部壁から底面壁まで測定される。
【００４９】
好ましくは、本発明による容器は、約１２ｍｍと約１５０ｍｍの間の幅、より好ましくは、約７０ｍｍと約１２５ｍｍの間の幅を有し、幅は、容器の一方の側壁から他方の側壁まで測定される。
【００５０】
好ましくは、本発明による容器は、約６ｍｍと約１５０ｍｍの間の深さ、より好ましくは、約１２ｍｍと約２５ｍｍの間の深さを有し、深さは、容器（箱と蓋の間にヒンジを含む）の前面壁から背面壁まで測定される。
【００５１】
好ましくは、容器の高さ対容器の深さの比率は、約０．３対１から約１０対１の間、より好ましくは、約２対１と約８対１の間、最も好ましくは、約３対１と約５対１の間である。
【００５２】
好ましくは、容器の幅対容器の深さの比率は、約０．３対１と約１０対１の間、より好ましくは、約２対１と約８対１の間、最も好ましくは、約２対１と約３対１の間に入る。
【００５３】
好ましくは、外側スリーブの蓋背面壁の高さ対箱背面壁の高さの比率は、約０対１（ヒンジが容器の上縁に位置する）から約１対１の間、より好ましくは、約１対５から約１対１０の間、最も好ましくは、約１対６から約１対８の間である。
【００５４】
好ましくは、外側スリーブの蓋前面壁の高さ対外側スリーブの箱前面壁の高さの比率は、約１対０（蓋が前面壁全体を覆う）から約１対１０の間、より好ましくは、約１対１と約１対５の間、最も好ましくは、約１対２と約１対３の間である。
【００５５】
容器が喫煙物品を含む場合、容器は、更に、廃棄物のための仕切り（例えば、灰又は吸い殻のため）、又は他の消費財、例えば、マッチ、ライター、消火手段、気分転換剤、又は電子機器を含むことができる。他の消費財は、容器の外側に取り付けるか、喫煙物品と共に容器内に収容するか、容器の別々の仕切りに収容するか、又はそれらを組み合わせたものとすることができる。
【００５６】
本発明による容器の外部表面は、製造者又は銘柄ロゴ、商標、スローガン、及び他の消費者情報及び印しを用いて印刷、エンボス、デボス、又はその他の方法で装飾することができる。
【００５７】
本発明による容器の内側スライドが、シガレット又は他の細長い喫煙物品の束を収容する場合、喫煙物品は、好ましくは、例えば、金属箔又は金属化紙の内側ライナに包まれる。
【００５８】
充填された状態で、本発明による容器は、例えば、高密度又は低密度ポリエチレン、ポリプロピレン、配向ポリプロピレン、ポリビニリデン塩化物、セルロースフィルム、又はそれらの組合せの透明なポリマーフィルムを用いて従来方法で収縮包装又はその他の方法で上包装することができる。本発明による容器が上包装される場合、上包装紙は、１つ又はそれよりも多くの開封テープを含むことができる。更に、上包装紙には、画像、消費者情報、又は他のデータを用いて印刷することができる。
【００５９】
本発明による内側スライド及び外側シェルは、接続部分に設けられた１つ又はそれよりも多くの脆弱線を用いて何らかの方法で互いに接続された別々の積層ブランクから形成することができる。接続部分は、内側スライド又は外側シェルの一体部分とするか、又は組み立て中に内側スライドと外側シェルに取り付けられる完全に分離された部分とすることができる。
【００６０】
好ましくは、本発明による容器は、内側スライドを形成するためのスライド形成部分と外側シェルを形成するためのシェル形成部分との間に１つ又はそれよりも多くの脆弱線が設けられた１つの積層ブランクから形成される。
【００６１】
本発明はまた、上述のように本発明による容器を形成するための積層ブランクを提供する。積層ブランクは、１つ又はそれよりも多くの脆弱線に沿って互いに接続されたスライド形成部分とシェル形成部分とを含む。スライド形成部分は、スライド前面壁パネル、スライド背面壁パネル、第１のスライド壁パネル、及び第２のスライド壁パネルを含み、シェル形成部分は、シェル前面壁パネル、シェル背面壁パネル、シェル底面壁パネル、第１のシェル側壁パネル、及び第２のシェル側壁パネルを含む。
【００６２】
本発明の積層ブランク及び容器の特に好ましい実施形態では、ブランクは、外側シェル底面壁を形成するためのシェル内側底面壁パネルとシェル外側底面壁パネルとを含む。ブランクはまた、内側スライド底面壁を形成するためのスライド内側底面壁パネルとスライド外側底面壁パネルとを含む。内側スライド及び外側シェルの各々の底面壁は、従って、容器の組み立て中に互いに接着される２つのパネルで形成される。
【００６３】
内側スライド及び外側シェルの内側底面壁パネルの各々は、組み立て中に内側底面壁パネルがそれに関して折り畳まれるヒンジ線が、内側スライドが外側シェル内に配置される時に実質的に互いに一致するように、内側スライド及び外側シェルの背面壁に接続される。これは、両方のパネルを容器の組み立て中に１つの折り畳み動作で所定位置に折り畳むことができることを意味する。同様に、内側スライド及び外側シェルの外側底面壁パネルの各々は、組み立て中に外側底面壁パネルがそれに関して折り畳まれるヒンジ線が実質的に互いに一致するように、内側スライド及び外側シェルの前面壁に接続される。
【００６４】
シェル内側底面壁パネルは、好ましくは、容器が少なくとも部分的に組み立てられた時に下にあるスライド内側底面壁パネルの部分を露出させる切り欠き部分を含む。スライド外側底面壁パネルは、好ましくは、実質的にシェル内側底面壁パネルの切り欠き部分の形状に対応するか、又は切り欠き部分よりも小さい形状を有する。更に、スライド外側底面壁パネルは、好ましくは、容器が組み立てられた時に切り欠き部分と一致するように位置決めされる。
【００６５】
この構成により、スライド外側底面壁パネルが、内側スライドの底面壁を形成するためにそれがスライド内側底面壁パネルに接着するように、組み立て中にシェル内側底面壁パネルの切り欠き部分を通過することができるようになる。切り欠き部分が設けられないと、シェル内側底面壁パネルは、スライド内側底面壁パネルの上に重なり、かつそれを覆うと考えられ、標準の組立手順を使用してスライド底面壁及びシェル底面壁の両方のパネルを接着することができないであろう。
【００６６】
上述の底面壁パネルの構成は、従って、詳細を以下に説明するように、それが従来の組立方法及び装置を使用して外側シェル及び内側スライドの両方が底面壁を有する容器の組立を可能にするので特に有利である。例えば、容器は、喫煙物品の従来のパックを組み立てるために使用されるタイプの標準Ｂｅｒｇａｍｉ（登録商標）機械上で自動的に組み立てることができる。
【００６７】
有利な態様では、外側シェル及び内側スライドの両方に底面壁が含まれることにより、剛性及び機械的強度が改善された容器が提供される。
【００６８】
本発明により、以下に説明するように、本発明による容器を１つの積層ブランクから組み立てる方法も提供する。
【００６９】
１つ又はそれよりも多くの脆弱線を組み込む積層ブランクは、外側シェル内に内側スライドを備えた開放端スリーブを形成するために、それを最初に縦方向折り畳み線に沿って折り畳み、内側スライド及び外側シェル形成部分をそれぞれ対応する側壁に接着することによって部分的に組み立てられる。組み立てのこの時点で、内側スライド及び外側シェルの内側底面壁パネルは、パックの一方の側で互いに折り重なり、一方で内側スライド及び外側シェルの外側底面壁パネルは、パックの他方の側で互いに折り重なる。効率的な保管又は輸送のためにこのステージで得られる開放端スリーブを有利に平坦化することができる。
【００７０】
上述の部分組立に対する同じか又は別の工程では、消費財は、次に開放端の１つを通して内側スライドに挿入される。充填されたパックが自動包装機械を通って進む時に、内側スライド及び外側シェルの内側底面壁パネルが消費財に向けて内向きに折り畳まれる。内側底面壁パネルの各外面に接着剤が付加される。
【００７１】
接着剤の付加に続いて、内側スライド及び外側シェルの外側底面壁パネルは、内側スライドの外側底面壁パネルが内側スライドの内側底面壁パネル及び同様に外側シェルに接着されるように、それらの各内側底面壁パネルに向けて内向きに折り畳まれる。
【００７２】
この接着手順は、切り欠きを外側シェルの内側底面壁パネルに設けることによってのみ可能であり、これは、下にあるスライド内側底面壁パネルの部分を露出させ、そこを通ってスライド外側底面壁パネルは、対応する内側パネルに接着するために通過することができる。
【００７３】
容器の組み立て中に、内側スライド及び外側シェルの上部壁を形成するブランクのパネルは、存在する場合、自動的に内向きに折り畳まれて従来の方法で接着される。
【００７４】
本発明は、添付図面を参照して単に一例として以下に更に説明する。
【図面の簡単な説明】
【００７５】
【図１】まだ無傷のままの脆弱線を含み、内側スライドが閉鎖位置にある本発明による容器の斜視正面図である。
【図２】図１の容器からの開封ストリップの取り外しを示す図である。
【図３】内側スライドが開放スライド位置にある図１及び２の斜視正面図である。
【図４】図１から３の容器を形成するための１つの積層ブランクを示す図である。
【図５】本発明による容器を形成するための代替の１つの積層ブランクを示す図である。
【発明を実施するための形態】
【００７６】
図１に示す容器１０は、直方体形状であり、外側シェル１４と、外側シェル１４内に装着された内側スライド１２とを含む。喫煙物品（図示せず）の束が容器１０の内側スライド１２に収容される。
【００７７】
内側スライド１２は、箱１６と、内側スライド１２の上部から僅かに距離を置いて内側スライド１２の背面壁にわたって実質的に水平方向に延びるヒンジ線２０に沿って箱１６に接続されたヒンジ蓋１８とを含む。
【００７８】
箱１６は、前面壁２２、背面壁２４、左側壁２６、右側壁２８、及び底面壁３０を有する。底面壁３０は、内側スライド１２の底面にわたって延びないが、その中心部分だけを覆う。内側スライド１２の底面の残りの部分は、開いたままである。底面壁３０は、内側底面壁パネル３０ａ及び外側底面壁パネル３０ｂから形成される。以下に説明する理由のために、外側底面壁パネル３０ｂは、台形形状である。箱１６の上部側面は、ヒンジ蓋１８が開いている時に、そこを通って内側スライド１２内の喫煙物品にアクセス可能な開口部を設けるために開いている。
【００７９】
ヒンジ蓋１８は、前面壁３２、背面壁３４、左側壁３６、右側壁３８、及び上部壁４０を含む。ヒンジ蓋１８が閉じている時に、ヒンジ蓋１８の壁の自由縁部は、当接の線に沿って箱１６の壁の上側自由縁部に当接する。ヒンジ蓋１８の蓋の閉鎖位置では、ヒンジ蓋１８の壁は、従って、箱１６の対応する壁の延長部を形成し、内側スライド１２の開口部がヒンジ蓋１８によって覆われる。
【００８０】
図４から見ることができるように、取り付けフラップ４１が、箱１６の左側壁とヒンジ蓋１８の左側壁の各前縁から延びる。取り付けフラップは、内側スライド１２を組み立てた位置に固定するのに使用され、箱１６及びヒンジ蓋１８の前面壁の内面に接着される。
【００８１】
外側シェル１４は、前面壁４２、背面壁４４、右側壁４６、左側壁４８、及び底面壁５０を含む。外側シェル１４の上端は、内側スライド１２の開放スライド位置内への移動を可能にするために開いている。保持タブ７２は、その上縁に沿って延びるヒンジ線に沿って外側シェル１４の背面壁に接続される。保持タブ７２は、それが外側シェル１４の背面壁４４と内側スライド１２の背面壁２４の間に位置するように、ヒンジ線に関して１８０度だけ折り畳まれる。保持タブ７２の目的は、以下に説明する。
【００８２】
外側シェル１４の底面壁５０は、内側底面壁パネル５０ａと外側底面壁パネル５０ｂで形成される。内側底面壁パネル５０ａは、内側スライド１２の底面壁３０の内側底面壁パネル３０ａのサイズにほぼ対応し、かつその形状をした中心の台形形状切り欠きを含む。
【００８３】
外側シェル１４の左側壁４８は、内側左側壁パネル４８ａ及び折り重なる外側左側壁パネル４８ｂで形成される。外側左側壁パネルには、垂直で細長い切り欠き５２が設けられ、その目的は、以下に説明する。
【００８４】
上述の容器１０は、図４に示す積層ブランク１１０から形成することができる。ブランク１１０は、内側スライド１２を形成するためのスライド形成部分１１２と、外側シェル１４を形成するためのシェル形成部分１１４とを含む。スライド形成部分１１２とシェル形成部分１１４は、１対の垂直で平行な穿孔の線５４に沿って互いに接続される。穿孔の線５４は、シェル形成部分１１４の内側左側壁パネル４８ａと内側スライド１２の箱１６の前面壁パネル２２とを接続する開封ストリップ５６を形成する。穿孔の線５４の一方は、内側スライド１２の箱１６の左側部縁部と一致するが、穿孔の線５４の他方は、第１の穿孔の線から短い距離だけ離れてそれに平行に外側シェル１４の左側壁パネル４８ａの上に延びる。
【００８５】
開封ストリップ５６は、内側スライド１２の前部において箱１６とヒンジ蓋１８の間で容器の底部から当接線の直ぐ下の部分まで延びる。開封ストリップ５６の上端に開封タブ５８が設けられ、消費者によって開封ストリップが容易に把持されるようになる。開封タブ５８は、開封ストリップ５６に接続されるが、容器１０の残りの部分から切り取られる。
【００８６】
図１から見ることができるように、容器１０が組み立てられた時に、開封ストリップ５６は、開封ストリップ５６が切り欠き５２を通して可視になり、かつ開封ストリップ５６の全体長さ、並びに開封タブ５８が容器１０の外側からアクセス可能になるように、その前縁に隣接する外側シェルの左側壁の細長い切り欠き５２と一致する。
【００８７】
図１は、内側スライド１２が閉鎖スライド位置にあり、開封ストリップ５６が依然として所定位置にある容器１０を示している。閉鎖スライド位置では、内側スライド１２は、ヒンジ蓋１８が開かれないように完全に外側シェル１４内に位置決めされる。開封ストリップ５８は、内側スライド１２が閉鎖位置に留まるように、外側シェル１４に対する内側スライド１２の動きを防止する。内側スライド１２内の喫煙物品にアクセスするために、開封ストリップ５６は、図２に示すように、ストリップ５６の縁部に沿って設けられた穿孔線５４を破壊することによって容器１０から引き剥がす必要がある。
【００８８】
開封ストリップ５６が容器１０から取り外された状態で、内側スライド１２及び外側シェル１４は、もはや互いに接続されることはなくなり、図１に示す閉鎖スライド位置と、外側シェル１４の上端を通ってヒンジ蓋１８が突出する図３に示す開放スライド位置との間で内側スライド１２が垂直方向に移動可能になる。
【００８９】
内側スライド１２を開放スライド位置まで移動するために、内側スライド１２は、外側シェル１４の切り欠きを通じて把持され、外側シェル１４の上部で開いている端部を通じて上方に引くことができる。外側シェル１４の上端から第１のヒンジ蓋１８が突出した状態で、次に、第１のヒンジ線２０に関してそれをピボット回転させて開くことによってそれを開放位置まで移動することができる。
【００９０】
開封ストリップ５６が取り外された状態で、内側スライド１２の外面と外側シェル１４の内面の間の摩擦力は、正の力が加えられるまで外側シェル１４に対して内側スライド１２が摺ることを実質的に防止する。
【００９１】
箱１６の背面壁２４は、内側スライド１２の底部から上方に約３分の１だけその側部縁部から延びる１対の保持タブ７０を更に含む。各保持タブ７０は、３つの側部で切断されており、背面壁の側部縁部に沿って平行に延びるヒンジ線７４に関して１８０℃折り畳まれる。容器１０が組み立てられた状態で、１対の保持タブ７０は、内側スライド１２の箱の背面壁２４と外側シェル１４の背面壁４４との間に位置する。
【００９２】
内側スライド１２が上向き方向に移動される時に、タブ７０は、保持タブ７０が外側シェル背面壁４４と連結するように各保持タブ７０の自由上縁が外側シェルの背面壁の保持フラップ７２の底部縁に当接するまで上方に動くことになる。これは、内側スライド１２が外側シェル１４に対して上向き方向に更に動くのを防止することになる。
【００９３】
容器１０は、上述のようにブランク１１０から組み立てることができる。第一に、スライド形成部分１１２がその縦方向垂直縁部に沿って折り畳まれ、取り付けタブ４１が、箱１６及び蓋１８の前面壁２２、３２の内面に接着される。シェル形成部分１１４も、その縦方向垂直縁部に沿って折り畳まれ、開封ストリップ５６の上に重なる外壁パネル４８ｂの細長い切り欠き５２を用いて、内側左側壁パネル４８ａに外壁パネル４８ｂを接着することによって部分的に組み立てられた内側スライド１２の周りに固定される。保持タブ７２は、それが外側シェル１４と内側スライド１２の間に位置するように折り畳まれる。
【００９４】
喫煙物品の包まれた束が、次に、部分的に組み立てられた容器の開放端部の１つを通して挿入され、内側スライド１２の箱１６の上部壁４０及び内側スライド１２及び外側シェル１４の底面壁３０、５０を形成するパネルが、次に、標準の包装機械を使用して折り畳まれる。接着剤の区域（区域「Ａ」と表示した）は、パネルが折り畳まれた時に、内側スライド１２の内側底面壁パネル３０ａ及び外側底面壁パネル３０ｂが互いに接着され、同様に外側シェルの内側底面壁パネル５０ａ及び外側底面壁パネル５０ｂが互いに接着されるように示す位置にあるブランク１１０のパネルに対して適用される。
【００９５】
上述のように、この効率的な折り畳み及び接着シーケンスは、それによって内側スライド１２の外側底面壁パネル３０ｂを対応する内側底面壁パネル３０ａに接着することができる外側シェル１４の内側底面壁パネル５０ａにおける切り欠き部分によってのみ可能である。この切り欠きがないと、接着剤が適切な位置に適用できないようにフラップが重なるであろう。
【００９６】
図５は、本発明による容器を製造するための代替の積層ブランク２１０を示している。繰返しを避けるために、図４に示す積層ブランクと図５に示す積層ブランクの違いだけを以下に説明する。
【００９７】
図５から見ることができるように、ブランク２１０のシェル前面壁４２及びシェル背面壁４４の上縁４３は、線形ではない。図４に示すブランク１１０の保持フラップ７２は、従って、シェル側壁４６の上縁から延びるほぼ類似の保持フラップで置換される。保持フラップは、シェル側壁４６の上縁から延びる第１のフラップ部分７３と、第１のタブ部分から延びる第２のフラップ部分７５とを含む。
【００９８】
積層ブランク２１０から容器を組み立てる際に、第２のフラップ部分７５は、第１のフラップ部分７３に対して１８０度折り畳まれる。２つの折り重なっている保持フラップ部分７３、７５が、次に、シェル側壁４６に対して１８０度だけ折り畳まれて２重の材料層を作り出す。対応するスライド側壁２８に内側保持タブ７１が設けられる。内側保持タブ７１は、折り目７７の周りにヒンジ止めされる。折り目７７は、折り目が正の曲げ力を作り出すように僅かに湾曲している。従って、内側保持タブ７１は、外側シェルの保持フラップ部分７３、７５との係合を保証するために外側シェルに向けて付勢される。
【００９９】
外側底面壁パネル５０ｂは、切り欠き窓５１を含み、そこを通して組み立てられた容器において外側シェルに対してそれを上方に移動するために内側スライドを押すことができる。
【０１００】
そこを通って開封タブ５８にアクセスされる細長い切り欠き５２は、細長い切り欠き５２の上端に向う拡大部分５３を含み、切り欠きの残りの部分よりも大きい寸法を有する。この拡大部分５３により、開封タブ５８へのアクセスが簡単になる。開封タブ５８は、シェル側壁４６の上端に向けて設けられる。開封タブ５８の下では、切断線５７が、シェル内側左側壁パネル４８ａと箱前面壁２２を分離する。切断線５７は、製造中にブランクを更に安定させる２つの保持ポイントを含む。
【０１０１】
箱前面壁２２及び箱背面壁２４は、いくつかの画像区域９１を含む。シェル前面壁４２及びシェル背面壁４４は、上側列及び下側列に設けられたいくつかの開口部９０を含む。組み立てられた容器において内側スライドが外側シェルに対して移動されると、画像区域９１が開口部９０の下で動いて可視になる。組み立てられた容器の開放移動中に、画像区域９１は、最初に開口部の下側列を通して、次に、開口部の上側列を通して可視になる。
【符号の説明】
【０１０２】
１０  スライド及びシェル容器
１２  内側スライド
１４  外側シェル
５６  一体化開封ストリップ
【図１】
2013523536.tif 000003
【図２】
2013523536.tif 000004
【図３】
2013523536.tif 000005
【図４】
2013523536.tif 000006
【図５】
2013523536.tif 000007
【国際調査報告】
2013523536.tif 000008
2013523536.tif 000009
2013523536.tif 000010